(57)【要約】【課題】安全かつ容易に袋物を開封できる用具を提供する。【解決手段】開閉可能な板体の内面に、対向する板体間内方に向かって突出するブレイドを着脱可能に設けたことを特徴とする。【選択図】      図１１
2005305090.tif 000002
【特許請求の範囲】
【請求項１】
開閉可能な板体の内面に、対向する板体間内方に向かって突出するブレイドを着脱可能に設けたことを特徴とする袋物開封器。
【請求項２】
板体内面に、使用済みブレイド収納のための収納部分を設けてなる請求項１記載の袋物開封器。
【発明の詳細な説明】
【技術分野】
【０００１】  この発明は、食品その他の物品の入った袋を開封するための開封器に関する。
【背景技術】
【０００２】  従来より、食品その他の物品はポリ袋などに封入して市販されることが多いが、この袋の開封はハサミや繰り出し式のカッターを用いてなされることが多く、本発明にて示すように、刃部を有する専用の開封器は見当たらない。
【発明の開示】
【発明が解決しようとする課題】
【０００３】  前記したように、袋の開封にはハサミやカッターが多用されている。
ハサミで開封するときは、袋を手に持ってハサミの刃部を開封個所に当てて指を動かすことにより刃部の開閉動にて開封する。繰り出し式のカッターを用いて開封するときは、平面に袋を置き、カッターの刃を袋の開封個所に当てて押し切るようにして開封する。
しかし、以上の開封手段は作業に手間取ったり作業場所を必要とするなどの問題があり、より簡単な作業にて開封する手段が望まれていた。
本発明は、以上のような従来からの袋開封手段に関わる課題を解決するために発明されたもので、軽く握って引くだけで容易に開封できるとともに、その刃部交換も可能なる新規かつ有用なる用具を提供することを目的としたものである。
【課題を解決するための手段】
【０００４】  課題を解決する手段として本発明は、板体の内面にブレイド（刃）を突設するとともに、そのブレイドを着脱可能に設けてその主要部を構成した。
すなわち、開閉可能な板体の内面に、対向する板体間内方に向かって突出するブレイドを着脱可能に設ける。本発明は、以上の構成よりなる袋物開封器である。
【発明の効果】
【０００５】  本発明によれば、開閉可能な板体の内面にブレイドを着脱可能に突出して設けたので、開封対象物を狭持して軽く引くだけで容易かつ安全に開封することのできる有用なる物品を提供することができる。また、使用済みブレイドの収納部分を設けることで環境保護的にも寄与することができる。
【発明を実施するための最良の形態】
【０００６】  以下、本発明の実施形態について説明する。
図において、１は外板で、長方形状の合成樹脂板であり、その一部には線状凹部が設けられて開閉可能である。２は収納箱で、内部に空隙部を有する直方体であり、外板内面に固着される。この収納箱側面には印刷による四角形の輪郭線３が表示され、この輪郭線部分内は空隙となり、ブレイド収納部４として機能する。また、この輪郭線内適所には細幅のスリット５が設けられる。
６はホルダー保持部で、収納箱上部側面に形成される溝状部分である。このホルダー保持部は、収納箱側面近傍は幅狭に内奥はやや幅広に設けられるとともに、図２にて示すようにこの溝方向は収納箱側面に対しやや傾斜して設けられる。
図４〜図７はブレイドホルダー７を示すものである。
このブレイドホルダーは、図８に示すブレイド（刃）１０を保持するためのものである。
ブレイドホルダーは図に示すように端部に段部を有する小直方体形状で、上下２個が外シート８にて接続され、開閉可能に構成される。このブレイドホルダーの一方の内面には、ブレイドの厚さと近似の厚さを有する段部９が形成される。この段部はブレイドの形状に沿うように形成され、この段部にブレイドをあてがい、ブレイドホルダーを閉じることによりブレイドの一部が突出して保持され、この状態にて前記のホルダー保持部に嵌入することができる。
１１は載置台で、段部を有する直方体の一部に斜面部分を設けたものであり、外板内面に固着される。１２は弾性シートで、薄合成樹脂板にて形成され、外板と収納箱との間および外板と載置台との間に設けられる。【０００７】  本発明を使用するには、まずブレイドホルダーを開き、段部９に所定形状のブレイドを載せてホルダーを閉じる。このホルダーをホルダー保持部内に嵌入保持させる。
袋物を開封するときは、外板を開いて袋物の開封個所を載置台に乗せ、外板を閉じて袋物を手で押さえながら本品を軽く移動させる。すると突出しているブレードにて袋物は切り裂かれて開封させることができる。
本実施形態では、ホルダー保持部の溝方向を収納箱に対して斜方に形成し、また載置台の一部を斜方に形成している。これは、開封対象物と刃の先端角度が適切になるよう配慮したものである。開封対象物に対して刃先角度が大きすぎたとき、すなわちより先鋭な状態にて開封したときは、切れやすくなるものの切り込み深さが深くなって１枚切りが難しくなり、逆に開封対象物に対する刃先角度が少ないと切り込み深さが浅くなって切れ味が低下する。
以上のことから本例では、ホルダー保持部の溝を斜方に形成し、また載置台の対応個所を斜方に形成して、刃をセットしたときの角度が適切な角度にて開封対象物に当たり、適度な切れ味となるよう構成した。また、外板は合成樹脂製のため、若干の弾力を有している。従って、図９にて示す開封時において、軽く握ったときは載置台の斜面部分と刃先との間にわずかの距離があり、１枚切りができる。またやや強く握ったときはその距離がなくなって２枚切りができる。【０００８】  たとえば、ビニールチャック付きの袋物を開けるとき、そのチャック位置と開口端位置は近接しており、かつ２枚のシート端位置が同じため、開けにくいことがある。
しかし、本品を用いて１枚切りをすると、その開口部端に位置する２枚のシートの一方を短くすることができて、指先を差し込みやすくなり、容易に開けることができる。
また、ホルダー収納部の溝形状は、収納箱側面からの距離にて溝形状を変えているので、開封作業時のブレイドホルダー位置のずれを防止できる。さらに外板内面に弾性シートを設けているので外板は常にその対向距離を縮める方向へ向くこととなり、かつ線状凹部を設けたので、図１１の開状態から図２の閉状態へと向かうこととなり、その形状を保つことができる。
なお、ブレイドホルダーにブレイド（刃）をセットするとき、市販の繰り出し式カッター用の刃の一端をブレイドホルダーに差し込み、このブレイドホルダーを手に持ち、他方の手でカッター用の刃の他端を持って折り割ることができる。あるいはペンチなどを利用して折ってもよい。本例では収納箱表面に輪郭線を表示しており、収納箱内の空隙部分すなわちブレイド収納部位置を確認することができる。また、スリット５を設けたので、使用済みのブレイドをこのスリットに差し込んでブレイド収納部内に収納することができるため、その散逸がなく、安全であるとともに環境保護的にも有用である。
なお、外板適所にマグネットを設けることで、冷蔵庫その他の個所に磁着でき、小さな子供の手の届かないところへの保管ができる。本発明はおもに薄合成樹脂製の袋物開封に適したものであるが、ＣＤケースやビデオテープのフィルム包装その他の開封にも利用できる。以上のごとく、本発明により長期間便利に利用することのできる袋物の開封器を得ることができる。
【図面の簡単な説明】
【０００９】
【図１】  本発明の正面図
【図２】  本発明の平面図
【図３】  Ａ−Ａ拡大断面図
【図４】  本発明のブレイドホルダーの拡大平面図（閉状態）
【図５】  本発明のブレイドホルダーの拡大正面図（閉状態）
【図６】  本発明のブレイドホルダーの拡大平面図（開状態）（点線はブレイド載置位置を示す）
【図７】  本発明のブレイドホルダーの拡大正面図（開状態）
【図８】  ブレイドの拡大平面図
【図９】  本発明の使用状態説明図
【図１０】  本発明の要部斜視図（ブレイドホルダー装着前）
【図１１】  本発明の斜視図（開状態）
【符号の説明】
【００１０】１    外板
２    収納箱
３    輪郭線
４    ブレイド収納部
５    スリット
６    ホルダー保持部
７    ブレイドホルダー
８    外シート
９    段部
１０  ブレイド
１１  載置台
１２  弾性シート
１３  開封対象物
１４  線状凹部
【図１】
2005305090.tif 000003
【図２】
2005305090.tif 000004
【図３】
2005305090.tif 000005
【図４】
2005305090.tif 000006
【図５】
2005305090.tif 000007
【図６】
2005305090.tif 000008
【図７】
2005305090.tif 000009
【図８】
2005305090.tif 000010
【図９】
2005305090.tif 000011
【図１０】
2005305090.tif 000012
【図１１】
2005305090.tif 000013